(57)【要約】【課題】ピアノハンドル式スイッチが取付枠の上、中、下の何れの取付位置に取り付けられても発光表示の差が小さいピアノハンドル式スイッチの表示装置を提供することにある。【解決手段】押釦スイッチの発光手段の光を発光表示体４０に導く導光プリズム５０の出射面５１に設けたプリズム部５４とこのプリズム部５４と対向する発光表示体４０の入射面４０ａに設けた複数のプリズム部４１で、３つの取付位置相互の発光表示体４０の出射面４０ｂから出る光の量と方向を調整する。【選択図】　　　　図１
2004095366.tif 000002
【特許請求の範囲】
【請求項１】
押釦ハンドルの押し込み動作に応じて、内部に収納した接点部を開閉駆動する押釦スイッチと、該押釦スイッチの前面側に取り付けられ前記押釦ハンドルをピアノタッチ操作で押圧するピアノハンドルとを備え、前記押釦スイッチが細長の器具取付用の取付窓を有し該取付窓の長手方向に沿って上、中、下の３つの取付位置が設けられた取付枠を用いて造営面に配設され、ピアノハンドルが、前記取付枠の３つの取付位置に押釦スイッチを取り付けた際に、各取付位置の押釦スイッチに夫々装着可能な寸法に形成された３個用のピアノハンドルであるピアノハンドル式スイッチに用いられるものであって、
前記押釦スイッチに内蔵され該押釦スイッチの位置あるいは状態を発光表示するための発光手段と、
前記ピアノハンドルに設けられ、該発光手段からの光が出る前記ピアノハンドルに対向する押釦スイッチの表面に設けられた透光窓に対向する入射面を持ち、該入射面から入射した前記光を導光してピアノハンドルの裏面側に対向するように設けた出射面へ導光する導光プリズムと、
前記ピアノハンドルに設けられ、該ピアノハンドルの表面に発光表示用の出射面を露出させ、入射面をピアノハンドルの裏面側に配置して上記導光プリズムの出射面に対向させた発光表示体とからなるピアノハンドル式スイッチの表示装置において、
前記導光プリズムの出射面の背方側から上、下両側に側方突出プリズム部を夫々延出形成するとともに、各側方突出プリズム部の背方側及び前記導光プリズムの出射面の背方側に、押釦スイッチの取付枠に対する３つの取付位置に応じて押釦スイッチの前記透光窓からの光を入射する入射面を夫々形成し、
前記導光プリズムの出射面に、出射光をほぼ平行光に屈折させるプリズム部を設けるとともに、対向する前記発光表示体の入射面に、該発光表示体の出射面かから斜め上向きに光を出射させるプリズム部を形成して成ることを特徴とするピアノハンドル式スイッチの表示装置。
【請求項２】
前記導光プリズムの出射面のプリズム部を、ピアノハンドル式スイッチを取り付ける造営面への取付状態における鉛直方向に沿って前記出射面に設けられた複数の凸部で夫々形成し、各凸部の上面を前方へに行くほど下向きに傾斜する傾斜面としたことを特徴とする請求項１記載のピアノハンドル式スイッチの表示装置。
【請求項３】
前記凸部の先端面又は凸部間の面の少なくとも何れか一方を、法線方向が略水平となる平坦面としたことを特徴とする請求項２記載のピアノハンドル式スイッチの表示装置。
【請求項４】
前記発光表示体の前記入射面に設けたプリズム部をピアノハンドル式スイッチを取り付ける造営面への取付状態における鉛直方向に沿って設けた複数の凸部により形成し、各凸部の上向き面を造営面への取付状態における鉛直方向に対して凡そ１０度傾斜させ、下向き面を略２０度〜略４０度の角度で傾斜させた傾斜面とし、上向き面と下向き面の入射面の面積の比を凡そ２：１としたことを特徴とする請求項２又は３記載のピアノハンドル式スイッチの表示装置。
【発明の詳細な説明】
【０００１】
【発明の属する技術分野】
本発明は、ピアノタッチ操作で接点部の開閉駆動を行うピアノハンドル式スイッチに用いられるピアノハンドル式スイッチの表示装置に関するものである。
【０００２】
【従来の技術】
従来より、図１６に示すようなピアノハンドル式スイッチが知られている。このピアノハンドル式スイッチは、押釦ハンドル４の押しこみ動作に伴って内部に収納した接点部（図示せず）を開閉駆動する押釦スイッチ１と、押釦スイッチ１の上部に取り付けられ上記押釦ハンドル４をピアノタッチ操作で押圧するピアノハンドル３０を備えたものであり、ピアノハンドル３０のピアノタッチ操作により押釦スイッチ１の接点部を開閉駆動するようにしている。
【０００３】
押釦スイッチ１の内部には、押釦スイッチ１の位置あるいは動作状態を発光表示するための発光手段を（図示せず）が内蔵されており、ピアノハンドル３０との対向面には発光手段の発光を外部へ導くための透光窓７が設けてある。
【０００４】
ピアノハンドル３０には透光窓７と対向する部位に表裏貫通の開口部３４が設けられ、この開口部３４には光透過性樹脂からなり透光窓７から出た光で表示を行う発光表示体４０の前端突出部が裏面開口側から嵌着されている。
【０００５】
また、ピアノハンドル３０の表面側には凹平面３５が設けられ、この凹平面３５の底にネームカード３８を出し入れするための窓３６を設け、この窓３６にはピアノハンドル３０の裏面側から開閉自在に枢支される扉３７を設けてあり、また凹平面３５には少なくも窓３６に対応して配置されるネームカード３８が見えるように中央部３９ａが透明なネームカバー３９が被着されている。
【０００６】
押釦スイッチ１は、図１７に示すように取付枠１００を用いて壁面などの造営面に埋設して固定される。取付枠１００は細長の取付窓１００ａを有し、この取付窓１００ａの長手方向に沿った上、中、下の各取付位置に押釦スイッチ１を３個まで取り付けることができるようになっている。
【０００７】
取付枠１００の前面側には、取付枠１００の取付窓１００ａよりも長寸かつ幅広の開口窓を備えるプレート１１０（プレート枠１２０と化粧プレート１３０からなる）が重ね合わせて配設される。
【０００８】
プレート枠１２０は矩形枠状であって、短幅方向に沿う両側片にプレートねじ用の挿通孔１２１，１２１を設けてあり、挿通孔１２１，１２１を表面側から挿通したプレートねじ１２３，１２３を取付枠１００のねじ孔１００ｃ，１００ｃに螺入することにより、取付枠１００の表面側に取り付けられる。
【０００９】
また、プレート枠１２０の長手方向に沿う両側片には係止孔１２２が３個ずつ形成されており、化粧プレート１３０の裏面から突出する係止爪（図示せず）を係止孔１２２に係止させることで、化粧プレート１３０がプレート枠１２０の表面側に装着される。
【００１０】
ピアノハンドル３０は、取付枠１００の上、中、下の各取付位置に３個の押釦スイッチ１を取り付ける場合において、各取付位置の押釦スイッチ１に夫々装着される３個用のハンドルであって、プレート１１０の開口窓の長手方向に沿うピアノハンドル３０の寸法は開口窓の長手方向寸法の略３分の１の寸法に設定されており、ピアノハンドル３０の短手方向の幅方向の寸法を押釦スイッチ１の短手方向の幅寸法よりも大きくすることで、ハンドルの操作性を向上させている。
【００１１】
上述のように、プレート１１０の窓孔の長子方向に沿うピアノハンドル３０の寸法が、押釦スイッチ１の寸法よりも幅広に形成されているので、押釦スイッチ１を取付枠１００の中央の取付位置に取り付ける場合は、押釦スイッチ１の中心位置とピアノハンドル３０の中心位置とを合わせて、ピアノハンドル３０を押釦スイッチ１に取り付けるのであるが、押釦スイッチ１を取付枠１００の上側又は下側の取付位置に取り付ける場合は、ピアノハンドル３０の中心位置を押釦スイッチ１の中心位置に対して上側又は下側にずらすようにして、押釦スイッチ１に取り付けている。ピアノハンドル３０の他端には背方に向けて抜け止め用の抜止片３３を突設しており、この抜止片３３は空所（図示せず）内に挿入され、ピアノハンドル３０が回動しても抜止片３３の先端が上記空所から抜けないようになっている。
【００１２】
而して、押釦スイッチ１を上、中、下の何れの位置に取り付けるかによって．押釦スイッチ１の透光窓７と、ピアノハンドル３０に取着した発光表示体４０との相対的な位置関係が異なるので、何れの位置にピアノハンドル３０を取り付けた場合でも、透光窓７から出る発光手段の光を発光表示体４０に入射できるよう、ピアノハンドル３０の裏面側に、押釦スイッチ１の透光窓７からの光を発光表示体４０に導光するためのピアノバンドル式スイッチ用の導光プリズム５０を設けてある。
【００１３】
この導光プリズム５０は光透過性樹脂により形成され、図１８に示すように中央部の前端面に形成した出射面５１をピアノハンドル３０に設けた発光表示体４０の前端突出部の背面に形成された入射面４０ａに対向させて、ピアノハンドル３０に熱着等により取り付け、この導光プリズム５０と発光表示体４０と発光手段とでピアノハンドル式スイッチの位置若しくは状態表示の表示装置を構成している。
【００１４】
導光プリズム５０の出射面５１の背方側から、上下両側方（図では左右両側）に向けて側方突出プリズム部５７を一体に延出形成しており、この側方突出プリズム部５７は背面部に上側の押釦スイッチ１又は下側の押釦スイッチ１からの光を入射する入射面５３を設け、入射面５３から内部に入った光を側方突出プリズム部５７内の反射面５８ａ，５８ｂで反射させて出射面５１から出射させるようになっている。
【００１５】
また、出射面５１に対応する背方には中央に取り付けられた押釦スイッチ１の透光窓７から出た光が入射する入射面５２を設けてあり、この入射面５２を挟むように両側の側方突出プリズム部５７、５７で囲まれた凹部の両側内壁面が、導光プリズム５０内に導光された光の上記反射面５８ｂを構成する。
【００１６】
【発明が解決しようとする課題】
ところで、上述のピアノハンドル式スイッチは壁面に取り付けて使用されるのであるが、一般的にピアノハンドル式スイッチの取付高さは人の目の高さよりも低いので、発光表示体４０の発光が見えやすいように、発光表示体４０からの光の視野角を正面から斜め上方に向けるのが望ましい。また、上述の３つの取付位置に並んだ場合に夫々の発光の見やすさが異なると具合が悪い。
【００１７】
そこで上記構成の導光プリズム５０では、３つの取付位置からの発光を発光表示体４０の前端突出部の表面に形成される出射面４０ｂから出射する光の量と方向とを同じように調整することが難しく、中段の光量を多くするために入射面５２を広く取ると、下段の光量が大きく低下して、上、中、下段の光量を等しくすることができないという問題があった。
【００１８】
光の視野角も上段と下段を正面から斜め上方向に出射させるように出射面のプリズム部を調整すると、中段は正面から斜め下向きに出射してしまい、その結果、見る角度によって、上、中、下段の発光の差が変わるという問題があった。
【００１９】
本発明は上記問題点に鑑みて為されたものであって、その目的とするところは、ピアノハンドル式スイッチが取付枠の上、中、下の何れの取付位置に取り付けられても発光表示の差が小さいピアノハンドル式スイッチの表示装置を提供することにある。
【００２０】
【課題を解決するための手段】
上述の目的を達成するために請求項１の発明では、押釦ハンドルの押し込み動作に応じて、内部に収納した接点部を開閉駆動する押釦スイッチと、該押釦スイッチの前面側に取り付けられ前記押釦ハンドルをピアノタッチ操作で押圧するピアノハンドルとを備え、前記押釦スイッチが細長の器具取付用の取付窓を有し該取付窓の長手方向に沿って上、中、下の３つの取付位置が設けられた取付枠を用いて造営面に配設され、ピアノハンドルが、前記取付枠の３つの取付位置に押釦スイッチを取り付けた際に、各取付位置の押釦スイッチに夫々装着可能な寸法に形成された３個用のピアノハンドルであるピアノハンドル式スイッチに用いられるものであって、
前記押釦スイッチに内蔵され該押釦スイッチの位置あるいは状態を発光表示するための発光手段と、
前記ピアノハンドルに設けられ、該発光手段からの光が出る前記ピアノハンドルに対向する押釦スイッチの表面に設けられた透光窓に対向する入射面を持ち、該入射面から入射した前記光を導光してピアノハンドルの裏面側に対向するように設けた出射面へ導光する導光プリズムと、
前記ピアノハンドルに設けられ、該ピアノハンドルの表面に発光表示用の出射面を露出させ、入射面をピアノハンドルの裏面側に配置して上記導光プリズムの出射面に対向させた発光表示体とからなるピアノハンドル式スイッチの表示装置において、
前記導光プリズムの出射面の背方側から上、下両側に側方突出プリズム部を夫々延出形成するとともに、各側方突出プリズム部の背方側及び前記導光プリズムの出射面の背方側に、押釦スイッチの取付枠に対する３つの取付位置に応じて押釦スイッチの前記透光窓からの光を入射する入射面を夫々形成し、
前記導光プリズムの出射面に、出射光をほぼ平行光に屈折させるプリズム部を設けるとともに、対向する前記発光表示体の入射面に、該発光表示体の出射面から斜め上向きに光を出射させるプリズム部を形成して成ることを特徴とする。
【００２１】
請求項２の発明では、請求項１の発明において、前記導光プリズムの出射面のプリズム部を、ピアノハンドル式スイッチを取り付ける造営面への取付状態における鉛直方向に沿って前記出射面に設けられた複数の凸部により形成し、各凸部の上面を前方へに行くほど下向きに傾斜する傾斜面としたことを特徴とする。
【００２２】
請求項３の発明では、請求項２の発明において、前記凸部の先端面又は凸部間の面の少なくとも何れか一方を、法線方向が略水平となる平坦面としたことを特徴とする。
【００２３】
請求項４の発明では、請求項２又は３の発明において、前記発光表示体の前記入射面に設けたプリズム部をピアノハンドル式スイッチを取り付ける造営面への取付状態における鉛直方向に沿って設けた複数の凸部で夫々形成し、各凸部の上向き面を造営面への取付状態における鉛直方向に対して凡そ１０度傾斜させ、下向き面を略２０度〜略４０度の角度で傾斜させた傾斜面とし、上向き面と下向き面の入射面の面積の比を凡そ２：１としたことを特徴とする。
【００２４】
【発明の実施の形態】
以下本発明を実施形態により説明する。
【００２５】
（実施形態１）
本実施形態を図面に基づいて説明する。
【００２６】
まず、ピアノハンドル式スイッチの基本的構造から説明すると、このピアノバンドル式スイッチは、図９〜図１５に示すように、押釦ハンドル４の押圧操作により後述する接点部Ｓを開閉駆動する押釦スイッチ１と、この押釦スイッチ１の上面に一端部が回動自在に枢支され他端部を押圧して押釦ハンドル４を押圧操作するピアノハンドル３０とで構成される。
【００２７】
押釦スイッチ１の器体は、合成樹脂製のボディ２とカバー３とで形成されており、規格化された既製の埋込型の配線器具の１個モジュール寸法に形成してある。押釦スイッチ１の表面側の部材であるカバー３には既製の配線器具を埋設する場合に用いる取付枠１００に着脱自在に取付可能とするために、取付枠１００の取付孔１００ｂに夫々係止する一対の係止爪８，８を両端面に突設してあり、一方の係止爪８の背方には空所９を形成し、係止爪８が背方へ弾性的に撓むようにしてある。
【００２８】
従って、既製の配線器具用の取付枠１００に係止爪８を係止させて押釦スイッチ１を着脱自在に取り付けることができ、既製の埋込型の配線器具と同様にして壁面などの造営面に埋設できるようにしてある。
【００２９】
尚、ボディ２とカバー３の結合はカバー３より垂下した係止片５の係止孔５ａにボディ２の側面に形成してある係止突起６を係止させることにより行っており、係止時には係止片５の弾性と係止突起６の上端の傾斜面６ａを利用して簡単に係止ができるようになっている。この押釦スイッチ１のボディ２内には一軸部に接続端子収納部２ａを形成するとともに、他端部に接続端子収納部２ｂを形成し、更に中央部に中央収納部２ｃを形成してある。各接続端子収納部２ａ，２ｂには、鎖錠ばね１０を夫々内装した端子板１２，１３が夫々収納される。図中１１はボディ２の両側に配置される２つの鎖錠ばね１０の解除釦である。そして、端子板１２，１３と鎖錠ばね１０と解除釦１１とで速結端子が構成される。
【００３０】
ここで端子板１３には固定接点１４が固着された延設片１３ａを形成してあり、この延設片１３ａを隔壁２ｄに近接する中央収納部２ｃ側に延出して、中央収納部２ｃ内に固定接点１４を位置させている。
【００３１】
また端子板１２から中央収納都２ｃに支持片１２ａが延出してあり、導電体からなる開閉体１５は、中央収納部２ｃ内に入れられてその下端が支持片１２ａ上に回動自在に載承されるとともに、両端下部に設けた突部が中央収納部２ｃの内側壁に形成されたＶ状凹部２ｅに嵌め込まれて、Ｖ状凹部２ｅの下部を中心に回動自在となっている。
【００３２】
開閉体１５には可動接点１６が設けてあり、開閉体１５の回動に応じて可動接点１６を固定接点１４に接離し、端子板１２と端子板１３との間の接続、切離を行う。
【００３３】
本実施形態においては上記のように固定接点１４と可動接点１６とで接点部Ｓが構成してある。上記接点部Ｓの開閉を行うための開閉体１５は反転ハンドル１７の反転回動により操作されるように構成してある。すなわち、反転ハンドル１７の下部には下方に開口した筒部１７ａが並設してあり、この筒部１７ａにはコイルスプリング１８の上部を納めている。このコイルスプリング１８は下部が上記開閉体１５の上縁に係止され、反転ハンドル１７の回動に応じて開閉体１５を反転駆動するようになっている。
【００３４】
反転ハンドル１７は、両側に設けた逆三角形状の軸１７ｂをカバー３の内壁に形成された軸受け３ａに枢支して回動自在に取り付けられ、上部の両端にスライドカム１９に係合する係合突起１７ｃを突設してある。押釦ハンドル４はカバー３に対して図１３において上下動自在に取り付けられ、下方に配置される復帰ばね２０により常時上方に付勢されている。
【００３５】
スライドカム１９は両端下面に上記反転ハンドル１７の係合突起１７ｃ、１７ｃに摺動係合する係合カム体１９ｂ，１９ｂが形成され、押釦ハンドル４の下面側において摺動自在に取り付けられる。そして、スライドカム１９は、内部に設けたハ字状の一対のばね片１９ａ，１９ａの間に押釦ハンドル４の下面に設けた突起４ａが挿入され、このぱね片１９ａによって復帰力が与えられている。
【００３６】
図９に示すように、押釦スイッチ１の器体のカバー３の表面側端部には横向きとなった２つの軸部２１、２１が所定間隔を開けて一体に突設してある。これらの軸部２１、２１は上部が横向きの略円柱形状をしている。
【００３７】
ピアノハンドル３０は、図１１（ａ）に示すように、裏面面部の一端部に下開口が嵌め込み用開口部となった穴３１ａと金属製の軸受け用ばね体３１ｂとで構成される軸受部３１を設けてある。
【００３８】
穴３１ａは内壁の片側に係止穴３２を設けて、穴３１ａに収納される軸受け用ばね体３１ｂの抜け止め爪３１ｃを係止して軸受け用ばね体３１ｂを固持している。
【００３９】
軸受け用ばね体３１ｂは先端を穴３１ａ内へ突出するように曲げ形成し、この曲げ形成された突出部３１ｄと穴３１ａとで軸部２１を支持するようになっている。なお、ピアノハンドル３０の一端部の裏面部に設けられる軸受部３１は、所定間隔の一対の軸部２１，２１に対応する所定間隔で４つ設けられ、その内の両側の二つの軸受部３１，３１に対応する軸受け用ばね体３１ｂ，３１ｂは一体に連結されている。
【００４０】
下方に開口した穴３１ａの嵌め込み用開口部は上記突出部３１ｄとで軸受部３１の内部よりも幅狭としており、前述の押釦スイッチ１の上部に設けた軸部２１を図１１（ｂ）に示すように弾性的に嵌め込んだ場合、軸部２１と軸受部３１との枢支結合が外れないようになっている。
【００４１】
このように軸部２１を軸受部３１に回動自在に嵌め込むことでピアノハンドル３０を回動自在に軸支する軸支部が構成される。
【００４２】
なお、ピアノハンドル３０の他端には背方に向けて抜け止め用の抜止片３３を突設してある。この抜止片３３は空所９内に挿入され、ピアノハンドル３０が回動しても抜止片３３の先端が空所９から抜けないようになっている。
【００４３】
上記のようにピアノハンドル３０が押釦スイッチ１に取付けられるのであるが、ピアノハンドル３０を押圧操作すると、軸受部３１と軸部２１との軸支部を中心にしてピアノハンドル３０がピアノタッチ式に回動する。そして、このピアノハンドル３０の回動によって押釦スイッチ１の押釦ハンドル４が押圧操作されるのである。
【００４４】
またピアノハンドル３０の表面側には凹平面３５が設けられ、この凹平面３５の上下方向における中央部にはネームカード３８を出し入れするための窓３６が開口し、この窓３６にはヒアノハンドル３０の裏面側から開閉自在に枢支された扉３７を設けてあり、また凹平面３５には窓３６内に配置されるネームカード３８が見えるように中央部３９ａが透明なネームカバー３９を被着している。
【００４５】
ここで、押釦スイッチ１の動作を簡単に説明する。図１３の状態は固定接点１４に可動接点１６が接しているオンの状態である。いま、図１３の状態で、ピアノハンドル３０を押し下げ操作したとすると、ピアノハンドル３０の操作に伴って押釦ハンドル４が復帰ばね２０に抗して押し下げられ、押釦ハンドル４の押し下げによりスライドカム１９が下降する。そして、スライドカム１９の図中左側の係合カム体１９ｂが、反転ハンドル１７の左側の係合突起１７ｃに当たることにより、反転ハンドル１７が回動される。このとき、反転ハンドル１７の回動に伴ってスライドカム１９が図中の左側にスライドしている。このようにして反転ハンドル１７が反転回動されるとコイルスプリング１８が反転し、この反転によって開閉体１５が反転回動し、可動接点１６が固定接点１４から離れてオフ状態となる。この反転後、ピアノハンドル３０の押し下げ力を解除すると、復帰ばね２０で押釦ハンドル４が押し上げられ、このときピアノハンドル３０が元の状態に戻る。そして、これと同時にスライドカム１９もぱね片１９ａのばね力で中央部に摺動復帰する。このオフ状態から再びピアノハンドル３０を押し下げ操作すると、上記とは逆に反転ハンドル１７が回動して可動接点１６が固定接点１４に接触してオンとなる。
【００４６】
ところで、この押釦スイッチ１は既製の取付枠１００を用いて壁面などの造営面に埋込配設される。取付枠１００は細長の取付窓１００ａを有し、この取付窓１００ａの長手方向に沿った上、中、下の３つの取付位置に押釦スイッチ１を取り付けることができるようになっている（図１２参照）。取付枠１００の前面側には、取付枠１００の取付窓１００ａよりも長寸かつ幅広の開口窓を備えるプレート１１０が重や合わせて配置される。ピアノハンドル３０は取付枠１００の上・中・下の各取付位置に３個の押釦スイッチ１を取り付ける場合において、各押釦スイッチ１に夫々装着される３個用の寸法に形成されたハンドルであって、プレート１１０の開口窓の長手方向に沿うピアノハンドル３０の寸法は開口窓の長手方向寸法の略３分の１の寸法に設定されている。そして、図１５に示すように取付枠１００に上下方向に３個の押釦スイッチ１を並べて取付けた場合において、中央の押釦スイッチ１にピアノハンドル３０を取付ける際には中央の二つの軸受部３１，３１に押釦スイッチ１の二つの軸部２１，２１を嵌め込んで取付ける。この場合中央の押釦スイッチ１の中心位置とこの押釦スイッチ１に取り付けるピアノハンドル３０の中心位置とが一致するように取付けられる。また、上側の押釦スイッチ１にピアノハンドル３０を取付ける場合には下側の二つの軸受部３１、３１に押釦スイッチ１の軸部２１，２１を嵌め込んで取付ける。この場合上側の押釦スイッチ１の中心位置よりもこの押釦スイッチ１に取り付けるピアノハンドル３０の中心位置が上側にずれて位置するように取付けられる。
【００４７】
また、下側の押釦スイッチ１にピアノハンドル３０を取付ける場合には上側の二つの軸受部３１，３１に押釦スイッチ１の軸部２１，２１を嵌め込んで取付ける。この場合下側の押釦スイッチ１の中心位置よりもこの押釦スイッチ１に取り付けるピアノハンドル３０の中心位置が下側にずれて位置するように取付けられる。このようにすることで、共通の３個用のピアノハンドル３０として上側、中央、および下側の何れの取付位置の押釦スイッチ１にも共通して使用することができる。
【００４８】
ところで、押釦スイッチ１の内部には、例えば発光ダイオードからなり押釦スイッチ１の位置又は動作状態を発光表示するための発光手段（図示せず）が設けてあり、この発光手段からの光を外部に出すための光透過性樹脂カバーが被着された透光窓７が押釦スイッチ１のカバー３の軸部２１，２１間に設けられている。なお、発光手段としては接点部Ｓがオンの場合に発光するものと、接点部Ｓがオフの場合に発光するものとがある。本実施形態の場合には発光手段がスイッチの存在を示すための所謂ほたる表示をするために可動後点１６が固定接点１４から離れてオフ状態となっている時発光する。そしてこの発光手段による発光はピアノハンドル３０に設けた発光表示体４０で視認できる。
【００４９】
また、図示は省略しているが、接点部Ｓがオンの場合に発光手段が発光するものの場合、接点部Ｓのオン、オフにより「入り」、「切り」される負荷（例えば空調装置）などの「入り」状態が発光表示体４０において発光手段の発光により視認できるものである。
【００５０】
一方、ピアノハンドル３０には、軸受部３１を設けている一端側における上下方向の中央部で、押釦スイッチ１の透光窓７に対向する部位に表示孔３４を貫設してあり、この表示孔３４には透光性樹脂により形成され透光窓７から出た光で表示を行う発光表示体４０の突出形成された前端突出部をピアノハンドル３０の裏面側から嵌め込んである。
【００５１】
ここで、押釦スイッチ１に設けた発光手段からの光をピアノハンドル３０に設けた発光表示体４０に導光して発光表示するための表示装置としては、従来と同様にピアノハンドル３０に発光手段の光を発光表示体４０に導光するための導光プリズム５０を設け、発光手段、導光プリズム５０及び発光表示体４０とで構成している。
【００５２】
導光プリズム５０は透明な透光性樹脂（例えばアクリル樹脂）により形成され、図１（ａ）〜（ｃ）に示すように中央の前端面に形成した出射面５１の背方側の面に中央の押釦スイッチ１の透光窓７からの光が入射する入射面５２を設けてある。また、出射面５１の背方側から上下両側方（取付枠１００の取付窓１００ａの長手方向における両方向）に向けて側方突出プリズム部５７，５７を延設してあり、この側方突出プリズム部５７は背面部に上側の押釦スイッチ１又は下側の押釦スイッチ１の透光窓７から出てくる光を入射する入射面５３を設け、この入射面５３から内部に入った光を側方突出プリズム部５７内の反射面５８ａと、反射面５８ｂとで反射させて出射面５１から出射させるようになっている。
【００５３】
この導光プリズム５０は、ピアノハンドル３０の背面側に出射面５１をピアノハシドル３０に設けた発光表示体４０と対向させた状態で取り付けられる。
【００５４】
而して、図１５に示すように中央の取付位置の押釦スイッチ１に取付けた３個用のピアノハンドル３０においては入射面５２が押釦スイッチ１の透光窓７に対向し、また、上側の取付位置の押釦スイッチ１に取付けられたピアノハンドル３０においては下側の側方突出プリズム部５７の入射面５３が押釦スイッチ１の透光窓７に対向し、また、下側の取付位置の押釦スイッチ１に取付けられたピアノハンドル３０においては上側の側方突出プリズム部５７の入射面５３が押釦スイッチ１の透光窓７に対向するものである。そして、模式図である図２（ａ）に示すように中央の取付位置に取着された押釦スイッチ１の発光手段ＬＥＤから発光された光（破線で示す）は、導光プリズム５０の背面中央部の入射面５２から入射し、出射面５１から発光表示体４０の入射面４０ａに向けて出射するのである。
【００５５】
また、上側あるいは下側の取付位置に取着された押釦スイッチ１の発光手段から出射された光は、図２（ａ）（ｃ）に示すように入射面５３から側方突出プリズム部５７に入射し、側方突出プリズム部５７内の反射面５８ａ，５８ｂで反射して出射面５１から発光表示体４０の入射面４０ａに向けて出射するのである。
【００５６】
ここで、出射面５１には出射光を略平行光に屈折するような角度に形成したプリズム部５４を設けている。（図１（ｃ）参照）。
【００５７】
ところで、上述したピアノハンドル式スイッチは造営面たる壁面に取り付けて使用されるのであるが、一般的にピアノハンドル式スイッチの取付高さは人の目の高さよりも低い（凡そ床面から１２０ｃｍ程度）ので、発光表示体４０の発光が見えやすいように、発光表示体４０からの光の視野角を正面から斜め上方に向けるのが望ましい。そこで、本実施形態では発光表示体４０の入射面４０ａに壁面の鉛直方向に沿って、側断面形状が三角形の凸部からなるプリズム部４１を複数形成し、これらプリズム部４１で正面方向の入射光を正面から斜め上方の範囲には満遍なく出射するようにしているので、発光表示体４０の前端突出部の表面により形成される出射面４０ｂからの光の視野角を正面から斜め上向きの広い範囲にすることができ、上、中、下段の光量の差を小さくすることができる。
【００５８】
（実施形態２）
本実施形態を図３（ａ）〜（ｃ）を参照して説明する。本実施形態では導光プリズム５０の出射面５１に、押釦スイッチ１の造営面への取付状態における鉛直方向に沿って鋸歯状の凸部５５からなるプリズム部５４を複数形成してあり、各プリズム部５４の鋸歯状の凸部５５の上面に前面（発光表示体４０側）側ほど下向きに傾斜にするような傾斜面５５ａを形成し、また凸部５５の下面を略水平な平坦面５５ｂとしてある（図３（ｃ）参照）。尚、導光プリズム５０以外の構成は実施形態１と同様であるので、共通する構成要素には同一の符合を付して、図示及び説明は省略し、本実施形態の特徴とする部分のみを説明する。
【００５９】
而して本実施形態では導光プリズム５０の出射面５１に設けたプリズム部５４を構成する凸部５５上面に下向きの傾斜面５５ａを設けているため、上側の取付位置に取着された押釦スイッチ１の発光手段ＬＥＤから発光された光は、模式図である図４（ａ）に示すように側の側方突出プリズム部５７の入射面５３に入射し、反射面５８ａ，５８ｂで２回全反射されて導光プリズム５０内を進行してきた光（破線で示す）は出射面５１のプリズム部５４に斜め上向きに入射し、傾斜面５５ａで少し水平向きに角度を変えて斜め上向きに出射される。
【００６０】
また、下側の取付位置に押釦スイッチ１を取り付けた場合、押釦スイッチ１の発光手段ＬＥＤからの光は、図４（ｃ）に示すように上側の側方突出プリズム部５７の入射面５３に入射し、反射面５８ａ，５８ｂで２回全反射されて導光プリズム５０内を進行してきた光は出射面５１のプリズム部５４に斜め下向きに入射するのであるが、各プリズム部５４の凸部５５の下面を平坦面５５ｂとしているので、出射面５１に斜め下向きに入射した光はこの平坦面５５ｂで全反射して、出射面５１からの光の視野角が斜め上向きとなるように出射される。
【００６１】
ところが、中央の取付位置に押釦スイッチ１を取り付けた場合、押釦スイッチ十の発光手段ＬＥＤからの光は、図４（ｂ）に示すように、導光プリズム５０の入射面５２から入射する。つまり出射面５１に対して略垂直な方向から入射するので、出射面５１のプリズム部５４に下向きの傾斜面が形成されていると、光の一部が斜め下向きに反射あるいは屈折して出射されてしまうことになる。そこで本実施形態では、導光プリズム５０のプリズム部５４に対応し、発光表示体４０の入射面４０ａに形成したプリズム部４１を形成する凸部の上向き面４１ａの傾斜角度を上向きの入射光を少し下向きに屈折するような角度に形成し、下向き面４１ｂの傾斜角度を下向きの入射光を上向きに屈折させる角度に形成している。
【００６２】
そのため、上、中、下段夫々の取付位置の押釦スイッチ１の各ピアノハンドル３０に設けた発光表示体４０からの光の視野角を正面から斜め上方に調整することができ、上、中、下段の光量の差を小さくすることができる。
【００６３】
（実施形態３）
本実施形態を図５（ａ）（ｂ）を参照して説明する。
【００６４】
本実施形態では図５（ａ）（ｂ）に示すように、発光表示体４０の入射面４０ａに形成したプリズム部４１の凸部の上向き面４１ａを、造営面への取付状態における鉛直方向に対して凡そ１０度（図５では１０度）、下向き面４１ｂを略２０度〜略４０度の範囲（図５では３８度）に形成してある。また、上向き面４１ａと下向き面４１ｂの長さの比を凡そ２：１としている。
【００６５】
尚、発光表示体４０以外の構成は実施形態２と同様であるので、共通する構成要素には同一の符合を付して、図示及び説明は省略し、本実施形態の特徴とする部分のみを説明する。
【００６６】
而して中央の取付位置に押釦スイッチ１を取り付けた場合、押釦スイッチ１の発光手段ＬＥＤからの光（破線で示す）は、図６（ｂ）に示すように、導光プリズム５０の出射面５１の正面から斜め下向きに出射され、上側と下側の取付位置に取り付けられた押釦スイッチ１の場合は、導光プリズム５０の出射面５１から、斜め上向きに出射されることになり、夫々の光量は中央が少なく、上、下段が多くなっている。
【００６７】
そして本実施形態では、発光表示体４０の入射面４０ａに形成されたプリズム部４１の上向き面４１ａに入射した光を角度を下向きに、下向き面４１ｂに入射した光を上向きに屈折される。また各面４１ａ，４１ｂの入射面積の比は２：１になるので、上、下段の押釦スイッチ１では、各面４１ａ，４１ｂの入射光は２／３が水平方向に近づくように屈折されて正面から斜め上向きになり、１／３がさらに上向きになって人の目よりも上方に向かう光になる。中央の押釦スイッチ１では、各面４１ａ，４１ｂの入射光は２／３が下向きになって、１／３が上向きになる。
【００６８】
尚導光プリズム５０は、出射面５１に設けた複数のプリズム部５４の形状を鋸歯状の形状としているが、図７に示すように各プリズム部５４の凸部５５の先端又は凸部５５、５５間に形成される凹部の底面を平坦面５６ａ，５６ｂとしても良い。勿論何れか一方を平坦面としても良い。この平坦面５６ａ、５６ｂ或いはその一方を設けることで中央の取付位置に押釦スイッチ１を取り付けた場合に、入射面５２から入射した発光手段ＬＤからの光を平坦面５６ａ，５６ｂから効率良く外部へ出射させることができる。
【００６９】
図８（ａ）〜（ｃ）は図８（ｄ）に示すように上、中、下の各取付位置に配置されたピアノハンドル３０…の内、床面からの高さが１２００ｍｍの位置に中心が位置する中央の取付位置のピアノハンドル３０から水平方向に５００ｍｍ離れた位置での高さ８００ｍｍ〜１８００ｍｍの範囲で且つ、左右±２００ｍｍの範囲に対応する大きさの評価板面のパワー（Ｗ／ｍ２）分布（照度分布）の解析結果を示し、図８（ａ）〜（ｃ）に横断するように表示している枠Ｘの下端は上記の５００ｍｍ離れた位置の１２００ｍｍの高さ位置を、また上端は上記の５００ｍｍ離れた位置において、中央のピアノハンドル３０を下向きに１５度見下げる場合の目Ｅの高さ１３４０ｍｍに対応している。そして図８（ａ）は入射面４１を、造営面への取付状態における鉛直方向に対して１０度下向きの傾斜面とした従来例を、図８（ｂ）は本実施形態で上述の平坦面５６ａ、５６ｂを導光プリズム５０に設けた場合を、図８（ｃ）は上向き面４１ａを、造営面への取付状態における鉛直方向に対して１０度、下向き面４１ｂを４２度の傾斜面で形成した場合を夫々示しており、上記の枠Ｘの上下端間の範囲から大きな量のパワーを示す範囲αが離れているが、図８（ｂ）の場合は枠Ｘの上下端間の範囲内に大きな量のパワーを示す範囲αが含まれており、５００ｍｍ離れた位置において、目の高さ位置がピアノハンドル３０に正対している位置にある場合も、見下げる位置にある場合も人の目Ｅの方向の光量が十分得られ、発光表示体４０からの光の視野角が広がる。一方図８（ｃ）に示すように下向き面４１ｂの傾斜角度を大きくした場合、大きなパワーを示す範囲αが上記枠Ｘの下端位置より下方に位置することになっているため、目Ｅの方向の光量が落ちている。
【００７０】
このように本実施形態の構成では、中央の取付位置の人の目Ｅの方向の光量を増やしてピアノハンドル３０の発光表示体４０からの光の視野角を広げることができ、同時に上，下段の取付位置の人の目Ｅの方向の光量が落ちて、上、中、下段のピアノハンドル３０の発光表示体４０からの光の光量、視野角の差をもっとも小さくして、バランス良く見せることができる。
【００７１】
【発明の効果】
請求項１の発明は上述のように構成したピアノハンドル式スイッチの表示装置において、導光プリズムの出射面の背方側から上、下両側に側方突出プリズム部を夫々延出形成するとともに、各側方突出プリズム部の背方側及び前記導光プリズムの出射面の背方側に、押釦スイッチの取付枠に対する３つの取付位置に応じて押釦スイッチの前記透光窓からの光を入射する入射面を夫々形成し、前記導光プリズムの出射面に、出射光をほぼ平行光に屈折させるプリズム部を設けるとともに、対向する発光表示体の入射面に、該発光表示体の出射面から光を斜め上向きに出射させるプリズム部を形成してあるので、導光プリズムの出射面のプリズム部と発光表示体の入射面のプリズム部の両方で、発光表示体からの出射光の視野角と光量を調整することができ、そのため３つの取付位置の発光表示間の光量の差を小さくすることができ、夫々の取付位置での発光表示間での光量差により違和感を与えないという効果がある。
【００７２】
請求項２の発明は、請求項１の発明において、前記導光プリズムの出射面のプリズム部を、ピアノハンドル式スイッチを取り付ける造営面への取付状態における鉛直方向に沿って前記出射面に設けられた複数の凸部により形成し、各凸部の上面を前方へに行くほど下向きに傾斜する傾斜面としたので、導光プリズムからの出射光が上、下段の取付位置にあるピアノハンドル式スイッチの場合には上向きに、中央の取付位置にあるピアノハンドル式スイッチの場合には正面から下向きになっても、発光表示体の入射面の複数のプリズム部で方向を調整して、３つの取付位置での発光表示間の光量の差を小さくすることができる。
【００７３】
請求項３の発明は、請求項２の発明において、前記凸部の先端面又は凸部間の面の少なくとも何れか一方を、法線方向が略水平となる平坦面としたので、平坦面から効率良く出射させることができ、発光表示体の発光表示を明るくできる。
【００７４】
請求項４の発明では、請求項２又は３の発明において、前記発光表示体の前記入射面に設けたプリズム部をピアノハンドル式スイッチを取り付ける造営面への取付状態における鉛直方向に沿って設けた複数の凸部で夫々形成し、各凸部の上向き面を造営面への取付状態における鉛直方向に対して凡そ１０度傾斜させ、下向き面を略２０度〜略４０度の角度で傾斜させた傾斜面とし、上向き面と下向き面の入射面の面積の比を凡そ２：１としたので、上、中、下の３つの取付位置での発光表示間の光の視野角と光量の差をもっとも小さくすることができる。
【図面の簡単な説明】
【図１】実施形態１の導光プリズムと発光表示体を示し、（ａ）は左側面図、（ｂ）は斜視図、（ｃ）はＡ部拡大図である。
【図２】（ａ）〜（ｃ）は同上の光路を説明する説明図である。
【図３】実施形態２の導光プリズムと発光表示体を示し、（ａ）は左側面図、（ｂ）は斜視図、（ｃ）はＡ部拡大図である。
【図４】（ａ）〜（ｃ）は同上の光路を説明する説明図である。
【図５】実施形態３の導光プリズムと発光表示体を示し、（ａ）は左側面図、（ｂ）はＡ部拡大図である。
【図６】（ａ）〜（ｃ）は同上の光路を説明する説明図である。
【図７】同上の導光プリズムの別の例の要部説明図である。
【図８】同上における照度分布解析結果の比較説明図である。
【図９】本発明の各実施形態を用いるピアノハンドル式スイッチの分解斜視図である。
【図１０】同上のピアノハンドル式スイッチに用いるピアノハンドルを示し、（ａ）は正面図、（ｂ）は背面図である。
【図１１】（ａ），（ｂ）は同上のピアノハンドル式スイッチに用いる押釦スイッチとピアノハンドルとの枢支構造を説明する説明図である。
【図１２】同上のピアノハンドル式スイッチに用いる押釦スイッチの分解斜視図である。
【図１３】同上のピアノハンドル式スイッチの断面図である。
【図１４】同上のピアノハンドル式スイッチを取付枠と取り付けた状態の正面図である。
【図１５】同上のピアノハンドル式スイッチに用いるピアノハンドルを押釦スイッチに取り付ける面の状態の説明図である。
【図１６】従来例を用いたピアノハンドル式スイッチの分解斜視図である。
【図１７】従来例を用いたピアノハンドル式スイッチ、取付枠、プレート枠並びに化粧プレートの分解斜視図である。
【図１８】従来例の導光プリズムと発光表示体の左側面図である。
【符号の説明】
４０　発光表示体
４０ａ　入射面
４０ｂ　出射面
５０　導光プリズム
５１　出射面
５２，５３　入射面
５４　プリズム部
５７　側方突出プリズム部
５８ａ、５８ｂ　反射面
【図１】
2004095366.tif 000003
【図２】
2004095366.tif 000004
【図３】
2004095366.tif 000005
【図４】
2004095366.tif 000006
【図５】
2004095366.tif 000007
【図６】
2004095366.tif 000008
【図７】
2004095366.tif 000009
【図８】
2004095366.tif 000010
【図９】
2004095366.tif 000011
【図１０】
2004095366.tif 000012
【図１１】
2004095366.tif 000013
【図１２】
2004095366.tif 000014
【図１３】
2004095366.tif 000015
【図１４】
2004095366.tif 000016
【図１５】
2004095366.tif 000017
【図１６】
2004095366.tif 000018
【図１７】
2004095366.tif 000019
【図１８】
2004095366.tif 000020